(57)【特許請求の範囲】
【請求項１】
浴室の壁部に設けられた換気口に設置される換気ユニットと、内部に熱源部を有し、前記浴室内の空気を加熱循環させる温風ユニットとを備え、前記温風ユニットを前記換気ユニットと電気的に連動させ、前記換気口に設置された前記換気ユニットの前面側に温風ユニットを取り付ける浴室用換気乾燥機であって、前記換気ユニットの前面に前記温風ユニットを取り付ける取付具を設け、前記取付具は、左右に開口し内部を通風する前記換気ユニットの左右方向の排気経路とする形状に形成されるとともに、前記温風ユニットの取付位置を左右方向にずらして変換できる変換手段を形成する構成を備えたことを特徴とする浴室用換気乾燥機。
【発明の詳細な説明】
【０００１】
【発明の属する技術分野】
本発明は、浴室内の湿気の排気および、浴室内に吊り下げられる洗濯物等の被乾燥物の乾燥を行う浴室用換気乾燥機に関する。
【０００２】
【従来の技術】
近年、一般家庭における浴室の設置が多くなるにともない、浴室を利用して洗濯物を乾燥させる浴室用換気乾燥機が普及されており、浴室の壁面に取り付けて簡単に使用できる浴室用換気乾燥機の要求が高まってきている。
【０００３】
従来、この種の換気乾燥機の一例として特開平１０−３１１５７５号公報に記載されたものが知られていた。以下、その構成について図１３を参照しながら説明する。
【０００４】
図に示すように、浴室１０１の天井面に設置された温風ユニット１０２は箱状の温風ユニット本体１０３を有し、その下面に循環用吸込口１０４および、循環用吸込口１０４と連通している吹き出し口１０５を備え、循環用ファン１０６は循環用吸込口１０４と吹き出し口１０５の間に設置され、ヒーター１０７は吹き出し口１０５近傍に設置している。
【０００５】
また、浴室１０１の天井面の温風ユニット１０３の隣接位置の天井面に設置される換気ユニット１０８は、箱状の換気ユニット本体１０９を有し、下面に換気用吸込口１１０、側面に換気用吸込口１１０と連通している排気口１１１を備え、換気用ファン１１２は、換気用吸込口１１０と排気口１１１との間に設置しており、排気口１１１には屋外と連通するようにダクト１１３を接続していた。
【０００６】
また、壁部に換気乾燥機を設けたものの一例として図１４に示すように、セラミックヒーター２０１を熱源とする温風発生装置２０２と湿気を排出する換気装置２０３により構成し、換気装置２０３部分を壁部（図示せず）に設け、温風発生装置２０２を洗濯物の乾燥を行う室内に配設し、温風発生装置２０２より室内の空気を加熱循環して洗濯物を乾燥し、室内で発生した湿気は温風発生装置２０２内を通り換気装置２０３に吸気し換気していた。
【０００７】
【発明が解決しようとする課題】
このような従来の換気乾燥機によれば、前者においては、換気乾燥機の設置される天井は一般的に重量物の設置に対して十分な強度が無く、換気乾燥機の設置に際しては十分な補強が必要であり、施工のコストと手間が増加していた。
【０００８】
また、取付位置も点検口などがあるため機能を最大に発揮し得る最適な位置に設置できない場合があった。
【０００９】
また、天井の形状がドーム型になっていたり、天井裏スペースが足りなかったり、開口ができない材質であったりするなどにより天井に取付不可能な場合があった。
【００１０】
また、既設住宅の天井への後付け設置は天井裏での排気ダクトの施工が困難であり大変な労力を要するものであった。
【００１１】
このように従来の前者のものでは施工性が悪いという課題があった。
【００１２】
また、後者においては、温風発生装置２０２と換気装置２０３は一体化されており常に組み合わせ使用されるものであるため、温風発生装置２０２と換気装置２０３を分離し、各々が機能を十分に発揮できる位置に配設できないという課題があった。
【００１３】
また、温風発生装置２０２と換気装置２０３は一体化されているので、施工の際には重量物を手で支えながら壁部に取り付けねばならず、作業性が悪いものであった。
【００１４】
また、換気装置２０３の排気経路は温風発生装置２０２内に設けられているため、流路抵抗が大きくなり換気効率が低下するという課題があった。
【００１５】
また、セラミックヒーター２０１を熱源としているため、熱源効率がまだ低いという課題があった。
【００１６】
本発明は、上記課題を解決するもので、施工性が良く、換気ユニットと温風ユニットの機能が十分に発揮でき、また、熱源効率を向上させることができる浴室用換気乾燥機を提供することを目的とする。
【００１７】
【課題を解決するための手段】
本発明の浴室用換気乾燥機においては、浴室の壁部に設けられる換気口に設置される換気ユニットと、内部に熱源部を有し、前記浴室内の空気を加熱循環させる温風ユニットとを備え、前記温風ユニットを前記浴室のいずれかの壁面に設け、前記換気ユニットと電気的に連動させる構成としたものである。
【００１８】
この本発明によれば、施工性が良く、換気ユニットと温風ユニットの機能を十分に発揮できる浴室用換気乾燥機を提供することができる。
【００１９】
【発明の実施の形態】
本発明の請求項１に記載の発明は、浴室の壁部に設けられた換気口に設置される換気ユニットと、内部に熱源部を有し、前記浴室内の空気を加熱循環させる温風ユニットとを備え、前記温風ユニットを前記換気ユニットと電気的に連動させ、前記換気口に設置された前記換気ユニットの前面側に温風ユニットを取り付ける浴室用換気乾燥機であって、前記換気ユニットの前面に前記温風ユニットを取り付ける取付具を設け、前記取付具は、左右に開口し内部を通風する前記換気ユニットの左右方向の排気経路とする形状に形成されるとともに、前記温風ユニットの取付位置を左右方向にずらして変換できる変換手段を形成する構成を備えたことにより、換気機能を十分発揮できるとともに、温風ユニットの取り付け可能範囲を広げることができるという作用を有する。
【００２０】
以下、本発明の実施の形態について図１〜図１２を参照しながら説明する。
【００２１】
（実施の形態１）
図１および図２に示すように、浴室１の壁部２に設けられた換気口３に換気ユニット４を設置し、上面に吸込口５を設け、下面に吐出口６を設けた箱状で内部に送風機７とヒーターよりなる熱源部８を設け、熱源部８の上方でない側方内部には送風機７および熱源部８を制御する制御回路部９を設けて温風ユニット１０を形成し、浴室１のいずれかの壁面２ａに取り付け、換気ユニット４と温風ユニット１０は電気的に連動するように構成する。
【００２２】
上記構成において、衣類等の洗濯物よりなる被乾燥物（図示せず）を乾燥するときには、被乾燥物を浴室１内に吊り下げ、温風ユニット１０および換気ユニット４を運転すると、浴室１内の空気は温風ユニット１０の送風機７と熱源部８により加熱循環されて被乾燥物が乾燥され、被乾燥物の乾燥にともない、発生した湿気は換気ユニット４により浴室１外に排出される。
【００２３】
また、制御回路部９は、側方内部に設けられているので、上方に伝熱される熱源部８からの熱を受けることがなく、内蔵される部品の温度上昇が抑えられる。
【００２４】
このように本発明の実施の形態１の浴室用換気乾燥機によれば、浴室１の壁部２に設けられた換気口３に設置される換気ユニット４と、浴室１内の空気を加熱循環させる温風ユニット１０とを設け、温風ユニット１０を浴室１のいずれかの壁面２ａに設け、換気ユニット４と電気的に連動させたので、寸法の制限された木枠（図示せず）に換気ユニット４をねじ止めすることが可能で、換気ユニット４と温風ユニット１０が一体形でないので、温風ユニット１０は木枠寸法に制限されることがなく設計の自由度がアップでき、困難な天井に向いた上向きの作業がなく施工が楽になるとともに、壁部２は強度が十分確保されており、取り付け時の補強等の手間が少なくなる。
【００２５】
また、換気ユニット４と温風ユニット１０を分離しているので、機能の発揮に大きく影響する温風ユニット１０の設置位置を最適な場所に選定可能となる。
【００２６】
また、温風ユニット１０の側方内部に制御回路部９を設けているので、制御回路部が熱源部８からの熱の影響を受けることを防ぐことができる。
【００２７】
（実施の形態２）
図３〜図６に示すように、換気ユニット４Ａの前面に設けられる温風ユニット１０Ａを取り付ける取付具１１を、左右に換気ユニット４Ａの排気経路１２が形成されるように内部に通風口を設け、断面がほぼこの字状に形成し、上部側には、温風ユニット１０Ａの背面に複数個所定間隔をおいて並設された係合孔１３の内２つの係合孔１３に係合し、温風ユニット１０Ａを支える係止部１４と、取付具１１の下部側には、温風ユニット１０Ａの下部側に複数個並設された係止片１５の内２個の係止片１５をねじ１６で取り付けられるように設け、温風ユニット１０Ａに設けられる係合孔１３と係止片１５、および取付具１１に設けられる係止部１４により、温風ユニット１０Ａを取り付けることができ、温風ユニット１０Ａの取付位置を変換できる変換手段１７を形成する。
【００２８】
また、熱源部８Ａは、ハロゲンヒーター１８と、ハロゲンヒーター１８の後方側に、ハロゲンヒーター１８から放射される輻射熱が浴室１内の洗い場１９に向かうように設けた反射板２０により形成し、ハロゲンヒーター１８の前方には眩しさを緩和する防眩部材である金網２１を設け構成する。
【００２９】
上記構成において、温風ユニット１０Ａを取り付けるときには、換気口３に取り付けた換気ユニット４Ａに設けた取付具１１の係止部１４に温風ユニット１０Ａに設けた係合孔１３を係合して温風ユニット１０Ａを支えたのち、温風ユニット１０Ａの下部側に設けた係止片１５をねじ１６で取付具１１に取り付け固定する。
【００３０】
また、浴室１の壁部２に設けられた換気ユニット４Ａが浴室１の隅部側寄りに設けられる場合には、換気ユニット４Ａの中心と温風ユニット１０Ａの中心を合わせるように取り付けることが不可能となるので、このような場合には変換手段１７を用いて換気ユニット４Ａに対し、温風ユニット１０Ａの取付位置をずらし片寄せにして取り付ける。
【００３１】
そして、温風ユニット１０Ａと換気ユニット４Ａの運転時には、温風ユニット１０Ａは、浴室１内の空気を送風機７により吸い込み、熱源部８Ａに設けたハロゲンヒーター１８により加熱し、反射板２０により浴室１内の洗い場１９に温風が送風され、浴室１内に吊り下げられた被乾燥物が乾燥され、被乾燥物の乾燥にともない、発生された浴室１内に浮遊する湿気は、換気ユニット４Ａの前面と温風ユニット１０Ａの背面間に取付具１１により形成された排気経路１２に吸い込まれ、換気ユニット４Ａの側方向部に設けられた制御回路部９を冷却するとともに、換気ユニット４Ａにより浴室外に排出されることとなる。
【００３２】
なお、防眩部材として金網２１を用いたが、メタルラスで形成される格子状部材を用いてもよく、その作用効果に差異はない。
【００３３】
このように本発明の実施の形態２の浴室用換気乾燥機によれば、換気ユニット４Ａの前面側に温風ユニット１０Ａを配設したので、小さくて軽い換気ユニット４Ａを先に壁部２に取り付け、比較的重い温風ユニット１０Ａは、あとから係止部１４に係合孔１３を係合することにより支えられながら取り付けることができ、省労力化が図れるとともに、浴室１の壁面２ａにおける浴室用換気乾燥機の占有面積が温風ユニット１０Ａで占められることとなり、圧迫感が少なくインテリア性も良くなる。
【００３４】
また、換気ユニット４Ａの前面に設けられる温風ユニット１０Ａの取付位置を変換手段１７を介して変換できるので、換気ユニット４Ａが設置される既設の換気口が浴室１の隅部近傍に設けられていても、温風ユニット１０Ａの取り付けが可能となり、温風ユニット１０Ａの取り付け可能範囲を広げることができる。
【００３５】
また、換気ユニット４Ａの前面と温風ユニット１０Ａの背面間に換気ユニット４Ａの排気経路１２を形成したので、温風ユニット１０Ａの内部を排気経路とする場合と比較して、排気経路１２を別途設けることにより通風抵抗が少なくなり排気性能を向上することができる。
【００３６】
また、換気ユニット４Ａの排気経路１２を換気ユニット４Ａの左右方向に設けたので、換気ユニット４Ａが設置される既設の換気口が浴室１の天井近くに設けられていても、換気ユニット４Ａの排気風量の低下することがなく換気機能を十分発揮できる。また、側方内部に設けた制御回路部９を排気風により冷却する効果がある。
【００３７】
また、温風ユニット１０Ａの熱源部８Ａをハロゲンヒーター１８と反射板２０により構成したので、ハロゲンヒーター１８は熱容量の小さいフィラメントを熱源としているため、石英管ヒーターおよびセラミックヒーターに比較して立ち上がり性能が良くなり、熱源効率が高まり乾燥が促進される。
【００３８】
また、ハロゲンヒーター１８の前方に金網２１を設けたので、ハロゲンヒーター１８の眩しさが緩和され、防眩効果がもたらされる。
【００３９】
また、ハロゲンヒーター１８により放射される輻射熱が浴室１内の洗い場１９に向うように構成したので、入浴時に洗い場１９にいるときのドラフト感を低減できる。
【００４０】
（実施の形態３）
図７に示すように、防眩部材である金網２１Ａに加熱あるいは光が当たることにより触媒反応が励起される脱臭触媒２２を添着した構成とする。
【００４１】
上記構成において、ハロゲンヒーター１８により加熱されることにより、金網２１Ａに添着した脱臭触媒２２の触媒反応が励起され脱臭されることとなる。
【００４２】
このように本発明の実施の形態３の浴室用換気乾燥機によれば、金網２１Ａに脱臭触媒２３を添着したので、脱臭触媒２２が加熱され、浴室（図示せず）内のかび臭や、排水口臭等を抑制し、快適な浴室環境が得られる。
【００４３】
（実施の形態４）
図８に示すように、反射板２０Ａの中央部に支点２３を設け、反射板２０Ａの取付角度を調整可能に形成した構成とする。
【００４４】
上記構成において、反射板２０Ａを支点２３を介して取付角度を調整することにより、反射板２０Ａに設けられたハロゲンヒーター１８と金網２１が共に可動し、反射板２０Ａが向く方向にハロゲンヒーター１８の輻射熱が放熱されることとなる。
【００４５】
このように本発明の実施の形態４の浴室換気乾燥機によれば、反射板２０Ａの取付角度を調整可能に形成したので、ユーザの好み、浴室の広さ、取付位置等により最適な方向に反射板１８Ａの角度を調整することができる。
【００４６】
（実施の形態５）
図９に示すように、浴室１の大きさに応じた換気風量に対応させるように、既存の換気扇の中からパイプファンや天井埋込形換気扇等を選択し、設置された換気扇を換気ユニット４Ｂとした構成とする。
【００４７】
上記構成において、温風ユニット１０Ｂとの組み合わせにより浴室１内で被乾燥物の乾燥が行われ、被乾燥物から発生した湿気は、浴室１の大きさに見合う換気風量が得られる換気ユニット４Ｂにより速やかに排出されることとなる。
【００４８】
このように本発明の実施の形態５の浴室用換気乾燥機によれば、浴室１の大きさに応じた換気風量に対応させるように、既存の種々の換気扇の中より選択した換気扇を換気ユニット４Ｂとすることにより、浴室１内の換気が適正に行われ、乾燥を効率良く行うことができる。
【００４９】
（実施の形態６）
図１０に示すように、浴室１に既に設置されている既設の換気扇を換気ユニット４Ｃとした構成とする。
【００５０】
上記構成において、温風ユニット１０Ｂとの組合せにより浴室１内で被乾燥物の乾燥が行われ、被乾燥物から発生した湿気は、既設の換気扇により形成した換気ユニット４Ｃで排出されることとなる。
【００５１】
このように本発明の実施の形態６の浴室用換気乾燥機によれば、浴室１に既に設置されている既設の換気扇を換気ユニット４Ｃとしたので、換気ユニット４Ｃを新規に購入する必要がなくなり、ユーザーのイニシアルコストの削減を図ることができる。
【００５２】
（実施の形態７）
図１１に示すように、温風ユニット１０Ｃを、温風ユニット１０Ｃのみを独立運転して暖房を可能とし、浴室１の洗い場１９寄りの壁面２ａに取り付け構成する。
【００５３】
上記構成において、温風ユニット１０Ｃを運転すると洗い場１９の暖房を行うことができる。
【００５４】
また、図１２に示すように、温風ユニット１０Ｃを脱衣室２４の壁面２５に取り付けることにより脱衣室２４の暖房を行うことができる。
【００５５】
このように本発明の実施の形態７の浴室換気乾燥機によれば、温風ユニット１０Ｃのみを独立運転して暖房を可能にしたので、浴室１に使用することにより洗い場１９の暖房が可能となり、お年寄り等が急激な低温により死に至る事故の発生を低減できるとともに、浴室１のみならず脱衣室２４等にも設置して同様に暖房を行うことができる。
【００５６】
【発明の効果】
以上の実施例から明らかなように、本発明によれば、浴室の壁部に設けられた換気口に設置される換気ユニットと、内部に熱源部を有し、前記浴室内の空気を加熱循環させる温風ユニットとを備え、前記温風ユニットを前記浴室のいずれかの壁面に設け、前記換気ユニットと電気的に連動させたので、施工性が良く、換気ユニットと温風ユニットの機能を十分に発揮できる浴室用換気乾燥機を提供できる。
【００５７】
また、熱源部からの上昇熱が通過しない温風ユニットの側方内部に制御回路部を設けたので、制御回路部が熱源部からの熱の影響を受けることを防ぐことができる。
【００５８】
また、換気ユニットの前面側に温風ユニットを配設したので、換気ユニットと温風ユニットを分離した状態で取り付けることができて省労力化が図れるとともに、インテリア性も良くなる。
【００５９】
また、換気ユニットの前面に設けられる温風ユニットの位置を変換手段を介して変換できる構成としたので、温風ユニットの取り付け可能範囲を広げることができる。
【００６０】
また、換気ユニットの前面と温風ユニットの背面間に前記換気ユニットの排気経路を形成したので、排気性能を向上することができる。
【００６１】
また、換気ユニットの排気経路を換気ユニットの左右方向に設けたので、換気機能を十分発揮できる。また、制御回路部を排気風により冷却することができる。
【００６２】
また、温風ユニットの熱源部をハロゲンヒーターと反射板により構成したので熱源効率が高まり乾燥が促進される。
【００６３】
また、ハロゲンヒーターの前方に防眩部材を設けたので、防眩効果がもたらされる。
【００６４】
また、ハロゲンヒーターより放射される輻射熱が浴室内の洗い場に向かう構成としたので、洗い場にいるときのドラフト感が低減できる。
【００６５】
また、防眩部材に加熱あるいは光を当てることにより触媒反応が励起される脱臭触媒を添着したので、浴室内のかび臭等を抑制し、快適な浴室環境が得られる。
【００６６】
また、反射板の取付角度を調整可能に形成したので、ユーザーの好み、浴室の広さ、取付位置等により最適な方向に反射板の角度を調整できる。
【００６７】
また、浴室の大きさに応じた換気風量に対応させるように種々の換気扇より選択し設置される既存の換気扇を換気ユニットとしたので、換気が適正に行われ、乾燥を効率良く行うことができる。
【００６８】
また、浴室に既に設置されている既設の換気扇を換気ユニットとしたので、ユーザーのイニシアルコストの削減を図ることができる。
【００６９】
また、温風ユニットのみ独立運転して暖房を可能としたので、お年寄り等が低温により死に至る事故の発生を低減できるとともに、脱衣室等に設置して同様に暖房を行うことができる。
【図面の簡単な説明】
【図１】本発明の実施の形態１の浴室用換気乾燥機を設置した状態を示す断面図
【図２】同浴室用換気乾燥機の温風ユニットの構成を示す正面図
【図３】本発明の実施の形態２の浴室用換気乾燥機を設置した状態を示す断面図
【図４】同換気ユニットと温風ユニットの関係を示す上面図
【図５】同換気ユニットと温風ユニットの関係を示す断面図
【図６】同換気ユニットに温風ユニットを取り付ける構成を示す背面図
【図７】本発明の実施の形態３の熱源部分の構成を示す概略図
【図８】本発明の実施の形態４の反射板の構成を示す概略図
【図９】本発明の実施の形態５の浴室用換気乾燥機を設置した状態を示す断面図
【図１０】本発明の実施の形態６の浴室用換気乾燥機を設置した状態を示す断面図
【図１１】本発明の実施の形態７の温風ユニットの設置状態を示す断面図
【図１２】同温風ユニットを脱衣室に設置した状態を示す断面図
【図１３】従来の換気乾燥機の設置状態を示す概略断面図
【図１４】同他の換気乾燥機の側面図
【符号の説明】
１        浴室
２        壁部
２ａ      壁面
３        換気口
４        換気ユニット
４Ａ      換気ユニット
４Ｂ      換気ユニット
４Ｃ      換気ユニット
８        熱源部
８Ａ      熱源部
９        制御回路部
１０      温風ユニット
１０Ａ    温風ユニット
１０Ｂ    温風ユニット
１０Ｃ    温風ユニット
１２      排気経路
１７      変換手段
１８      ハロゲンヒーター
１９      洗い場
２０      反射板
２０Ａ    反射板
２１      金網
２１Ａ    金網
２２      脱臭触媒
２３      支点
【図１】
0003973805.tif 000002
【図２】
0003973805.tif 000003
【図３】
0003973805.tif 000004
【図４】
0003973805.tif 000005
【図５】
0003973805.tif 000006
【図６】
0003973805.tif 000007
【図７】
0003973805.tif 000008
【図８】
0003973805.tif 000009
【図９】
0003973805.tif 000010
【図１０】
0003973805.tif 000011
【図１１】
0003973805.tif 000012
【図１２】
0003973805.tif 000013
【図１３】
0003973805.tif 000014
【図１４】
0003973805.tif 000015